(57)【要約】【課題】  より自然に近い演出を行うことができ、また、従来にない演出で来訪者を迎えることができるベンチ及びこのベンチ備えた住宅展示施設を提供する。【解決手段】ベンチは、植物又は植物を模した人工物を植え付けたプランターと、前記植物又は前記人工物を上方に突出させつつ、前記プランターを覆うように、前記プランターの上部及び周囲に積載される多数の弾性材料小片と、積載された前記弾性材料小片を包むシート体と、を備える。【選択図】図１
2014061198.tif 000002
【特許請求の範囲】
【請求項１】
植物又は植物を模した人工物を植え付けたプランターと、
前記植物又は前記人工物を上方に突出させつつ、前記プランターを覆うように、前記プランターの上部及び周囲に積載される複数の弾性材料小片と、
積載された前記弾性材料小片の露出した部分を覆うシート体と、
を備えることを特徴とするベンチ。
【請求項２】
前記シート体は人工芝であるとことを特徴とする請求項１記載のベンチ。
【請求項３】
前記プランターの周囲に積載される前記弾性材料小片は、前記プランターから３００ｍｍ以上離れた位置まで積載されることを特徴とする請求項１又は請求項２に記載のベンチ。
【請求項４】
請求項１から請求項３のいずれかに記載のベンチを配置した住宅展示施設。
【発明の詳細な説明】
【技術分野】
【０００１】
本発明は、ベンチ、及び住宅展示施設に関し、特に、植物などを付属させたベンチ、及び当該ベンチを備えた住宅展示施設に関する。
【背景技術】
【０００２】
従来より、例えばイベント会場などにおいて、ソファーやベンチの周囲に樹木や鉢植えなどの植物を配置して、自然を感じさせる演出を行って、来訪者が単に腰掛けて休憩するだけでなく、来訪者に安らぎを与えることができることが知られている。そして、ベンチを提供できるとともに植物も配置できるように、植物とベンチとを一体化したベンチユニットも提案されている（例えば、特許文献１）。
【先行技術文献】
【特許文献】
【０００３】
【特許文献１】特開平６−３１１９２０号公報
【発明の概要】
【発明が解決しようとする課題】
【０００４】
しかし、ソファーやベンチと植物とを一体化したユニットにしたとしても、ソファーやベンチは人工物であるので、十分に自然に囲まれた演出を行うことは困難である。
【０００５】
そこで、本発明は、より自然に近い演出を行うことができ、また、従来にない演出で来訪者を迎えることができるベンチ及びこのベンチを備えた住宅展示施設を提供することを目的とする。
【課題を解決するための手段】
【０００６】
請求項１に記載のベンチは、植物又は植物を模した人工物を植え付けたプランターと、前記植物又は前記人工物を上方に突出させつつ、前記プランターを覆うように、前記プランターの上部及び周囲に積載される多数の弾性材料小片と、積載された前記弾性材料小片の露出した部分を覆うシート体と、を備えることを特徴としている。
【０００７】
請求項２に記載のベンチは、前記シート体は人工芝であることを特徴としている。
【０００８】
請求項３に記載のベンチは、前記プランターの周囲に積載される前記弾性材料小片は、前記プランターから３００ｍｍ以上離れた位置まで積載されることを特徴としている。
【０００９】
請求項４に記載の住宅展示施設は、請求項１から請求項３のいずれかに記載のベンチを備えることを特徴としている。
【発明の効果】
【００１０】
請求項１に記載のベンチによると、植物又は人工物を上方に突出させつつ、プランターの上部及び周囲に複数の弾性材料小片を積載してプランターを覆い、積載した当該弾性材料小片をシート体で覆うので、盛り上がったシート体から植物又は植物を模した人工物が上方に突出しているように見える。すなわち、あたかもシート体から植物が生えているように見えるので、来訪者がこのシート体の上に腰掛けると、より自然に近い印象を抱くことができる。また、従来にない演出であるので、来訪者がこのベンチに注目しやすく、来訪者の好奇心を刺激して楽しい印象を与え易い。
【００１１】
請求項２に記載のベンチによると、前記シート体は人工芝であるので、このシート体の上に腰掛けると、より自然に近い印象を抱くことができる。
【００１２】
請求項３に記載のベンチによると、弾性材料小片が、プランターから３００ｍｍ以上離れた位置まで積載されるので、このベンチに腰掛ける人はプランターの上に腰掛けるのではなく、プランターの周囲に腰掛けることになるので、過度の力が加わってプランターが破損することを防止できる。
【００１３】
請求項４に記載の住宅展示施設によると、請求項１から請求項３のいずれかに記載のベンチを配置しているので、来訪者に自然に近い印象を与えて安らぎを提供することができる。
【図面の簡単な説明】
【００１４】
【図１】ベンチの構成を示す断面図。
【図２】ベンチを利用している状態を示す側面図。
【図３】ベンチを備えた住宅展示施設の一例を示す図。
【発明を実施するための形態】
【００１５】
以下、各図を参照しつつ、本発明のベンチ１及び当該ベンチ１を備えた住宅展示施設２について説明する。本実施形態のベンチ１は、図１に示すように、上方に突出する植物３と、この植物３を植え付けたプランター４と、プランター４の上部及び周囲の床面Ｆに積載される多数の弾性材料小片５と、積載された弾性材料小片５を包むシート体６と、を備えている。
【００１６】
植物３は、プランター４に植え付けて保持することができる大きさの植物３であって、ベンチ１を設置する住宅展示施設２などの建物の空間の天井までの高さの樹木が好ましく、より好ましくは常緑樹である。ベンチ１を設置する住宅展示施設２などの建物の空間は例えばその空間が吹き抜け構造となっている場合は、植物３は当該吹き抜けの天井付近まで延びる例えば高さ３ｍ以上の樹木とすることができる。植物３としてこのような大きな樹木を用いると、ベンチ１に座っている人はもとより、周辺にいる人からも植物３としての樹木を視認しやすく、より自然を感じさせることができる。なお、植物３は自然の植物を用いることで、匂いや質感も含めて植物を視認する人に自然な印象を与えるが、人工樹木や造花であってもかまわない。このような植物を模した人工物であったとしても、視認したときに自然な印象を与えることができる。
【００１７】
プランター４は植物３を倒すことなく保持することができる大きさの樹脂又はセラミックス製の有底円筒形状に形成されている。プランター４の大きさは直径及び高さが共に５０ｃｍ以上であることが好ましく、より好ましくは直径及び高さが６０ｃｍである。
【００１８】
弾性材料小片５は、例えば弾性を有する軟質ポリウレタンフォームであって、粒径が５〜１０ｃｍ程度のものをプランター４の上部及びプランター４の周囲の床面Ｆに積載して、弾性材料小片５の小山を形成している。なお、弾性材料小片５の材質はこれに限定されるものではなく、クッション材として用いることのできる弾性を有する材料であって、プランター４の上部及びプランター４の周囲に積載可能な形状及び大きさのものであればよい。例えば直径３ｍｍ程度の球状のポリスチレン製ビーズをプランター４上部及びプランター４の周囲に積載して、シート体６で包むことでベンチ１を所謂ビーズクッションとしても用いてもよい。
【００１９】
シート体６は、例えば基布に芝糸を貼り付けて構成される人工芝であるが、これに限定されるものではなく、緑色又は土色の生地によりシート体６を形成して弾性材料小片５を積載して形成した小山を覆うように構成してもよい。このように、シート体６を人工芝や、緑色又は土色の生地などで構成し、このシート体６で弾性材料小片５を包み込むことで、シート体６に覆われた弾性材料小片５の小山が地面に近い外観を有することになり、ベンチ１は、シート体６から上方に突出する植物３が自然に地面から生えているような外観とすることができる。
【００２０】
シート体６は、例えば複数の分離及び接続可能なシート片を、弾性材料小片５が外部に露出した部分がないように弾性材料小片５の小山の表面に貼り合わせて形成する。このように形成すると、ベンチ１は、芝生などの緑に覆われた小山のような外観とすることができる。
【００２１】
なお、ベンチ１はこれに限られるものではなく、例えば図示しないがシート体６を予め開口部を有する大きな巾着袋状に縫製しておき、開口部から植栽されたプランター４及び弾性材料小片５を詰め込んで、当該開口部を絞ってベンチ１を形成してもよい。
【００２２】
ベンチ１はプランター４の外縁から水平方向に３００ｍｍ以上離れた位置にまで弾性材料小片５が積載されている。好ましくは、プランター４の外縁から水平方向に６００ｍｍ以上離れた位置の床面Ｆにまで弾性材料小片５が積載されている。図２に示すように、このようにプランター４から離れた位置にまで弾性材料小片５が積載されていると、ベンチ１の着座者がプランター４の外縁よりも水平方向の外側に腰掛けることになり、プランター４自体にベンチ１の着座者の体重が加わることが無く、破損を防ぐことができる。
【００２３】
ベンチ１は、主として来客を迎え入れる為の施設に設置される。このような施設としては例えば図３に示す住宅展示施設２を挙げることができる。住宅展示施設２は、エントランスホールＥ、リビングＬ、ダイニングＤ、キッチンＫなどが、設けられており、来訪者に住宅設備の使い勝手や住宅の雰囲気を体験させる施設である。ベンチ１は例えば図示のように住宅展示施設２のエントランスホールＥに設置することができ、例えばアンケートの記入や来訪者の一時的な休憩に用いることができる。また、ベンチ１が設置された位置から住宅展示施設２の屋内方向側には間仕切り壁７の一部に縦格子８が形成されており、ベンチ１に腰掛けた状態で住宅展示施設２内に展示されている設備などの一部を見通すことができるように構成されている。このように配置することで、来訪者の住宅展示施設２の展示物への興味を刺激することができる。
【００２４】
なお、ベンチ１は、例えば分割及び連結可能に構成されていてもよい。このように構成した場合には、ベンチ１を移動して持ち運びする際に各パーツ毎に持ち運びすることができ、便利である。
【００２５】
なお、本発明の実施の形態は上述の形態に限ることなく、本発明の思想の範囲を逸脱しない範囲で適宜変更することができることは云うまでもない。
【産業上の利用可能性】
【００２６】
本発明に係るベンチ１及び住宅展示施設２は、来訪者が自然を感じつつ休憩することができるベンチ１及び住宅展示施設２として好適に用いることができる。
【符号の説明】
【００２７】
１      ベンチ
２      住宅展示施設
３      植物
４      プランター
５      弾性材料小片
６      シート体
【図１】
2014061198.tif 000003
【図２】
2014061198.tif 000004
【図３】
2014061198.tif 000005